【手続補正書】
【提出日】平成20年6月5日(2008.6.5)
【手続補正１】
【補正対象書類名】明細書
【補正対象項目名】００１７
【補正方法】変更
【補正の内容】
【００１７】
UTRANは、無線ネットワークサブシステムRNSから構成される。RNS間のインターフェイスはlurと呼ばれている。RNSは無線ネットワークコントローラRNCと1つ以上のノードBから構成されており、このRNCとB間のインターフェイスはlubと呼ばれている。図1Aでは、ノードBのカバレージエリア、即ち、セルにCという参照符号が付加されている。又、RNSは、その従来の名前である基地局システム(BSS)と呼ぶこともできる。従って、無線システムのネットワーク部は、無線アクセスネットワークUTRANとコアネットワークCNを有しているということになる。
【手続補正２】
【補正対象書類名】明細書
【補正対象項目名】００３１
【補正方法】変更
【補正の内容】
【００３１】
図1Dは、パケット交換伝送リンクを示している。ポータブルコンピュータ152は、現在、ユーザー機器150に接続されている。図の太い線は、伝送されるデータがサーバー148からポータブルコンピュータ152に伝送される様子を示している。当然のことではあるが、データはこの反対の方向にも、即ち、ポータブルコンピュータ152からサーバー148に対して送信することも可能である。データは無線インターフェイス、即ち、Umインターフェイス170を介してアンテナ112からトランシーバ114に、そしてここから、マルチプレクサ116における多重化の後に、伝送リンク及びAbisインターフェイスを介して交換フィールド120に進み、そこからGbインターフェイス上の接続を介してサポートノード140に出力され、このサポートノード140からパケット伝送網142を介してゲートウェイノード144を経た後に、公衆パケット伝送網146に接続されているサーバー148に伝送される。
【手続補正３】
【補正対象書類名】明細書
【補正対象項目名】００４４
【補正方法】変更
【補正の内容】
【００４４】
論理リンク制御プロトコルLLCは、従来技術によってSGSN及びMS間に信頼性の高い暗号化された論理リンクを確立する。LLCは、無線インターフェイスが変化した場合の移動体ネットワークのネットワーク部に対する影響を最小限にするよう、下位レイヤから独立している。この論理リンク制御プロトコルのサービスには、ピア構成要素間における非常に信頼性の高い論理リンク、可変長情報フレームのサポート(各フレームは送信移動局又は受信移動局のあいまいな識別子を有する)、確認型データ伝送及び非確認型データ伝送の両方のサポート、並びにデータ伝送の様々な優先順位、送信データの暗号化、及びユーザーの同一性などの異なるサービス基準のサポートが含まれている。LLCデータは、Um及びGbインターフェイス間において論理リンク制御プロトコルリレーLLC RELAYによって伝送される。本アプリケーションで開示するソリューションにおいては、暗号化をLLCサブレイヤではなくMAC又はRLCサブレイヤで実行しており、LLCサブレイヤのその他のタスクもその他のレイヤに移すことが可能であることから、LLCサブレイヤ自体を完全に省略することができる。
【手続補正４】
【補正対象書類名】明細書
【補正対象項目名】００５０
【補正方法】変更
【補正の内容】
【００５０】
暗号化されていないデータ414がXOR演算416によって暗号化マスク412と合成され、暗号化されたデータ418が得られる。
【手続補正５】
【補正対象書類名】明細書
【補正対象項目名】００５９
【補正方法】変更
【補正の内容】
【００５９】
UTRANのカウンタパラメータ402は、例えば、時間と共に変化しかつハイパーフレーム番号及びRLCシーケンス番号によって形成された32ビットのカウンタである。元のGSMシステムの場合には、22ビットのTDMAフレーム番号をカウンタパラメータとして使用している。これは、約3.5時間の暗号化の後にカウンタパラメータが最大値に到達することを意味している。再度カウンタパラメータが起動するとマスクは再び同一の値を取得し、新しい暗号化キーを使用しない限り暗号は破られてしまう。
【手続補正６】
【補正対象書類名】明細書
【補正対象項目名】００６０
【補正方法】変更
【補正の内容】
【００６０】
カウンタパラメータ402は、長さは同じ32ビットであるが、GERANと同様に使用することはできず、内容を変更しなければならない。RLCプロトコルを使用する場合には、カウンタパラメータ402は、RLCシーケンス番号、暗号化すべきデータが第2レイヤシグナリングプレーンのデータであるか又はその他のデータであるかを規定するシンボル、及びハイパーフレーム番号によって形成される。ハイパーフレーム番号の長さが24ビットの場合には、RLCシーケンス番号の長さは7ビットであり、あるいはハイパーフレーム番号の長さが20ビットの場合にはRLCシーケンス番号の長さは11ビットとなる。暗号化すべきデータが第2レイヤシグナリングプレーンのデータであるか又はその他のデータであるかを規定する1ビットのシンボルは、暗号化するデータが第2レイヤシグナリングプレーンのデータではなくその他のデータである場合に値1を取得する。実際には、RLCプロトコルを使用する場合には、1ビットのシンボルは一定であり、カウンタパラメータの有効な長さは31ビットになるのである。
【手続補正７】
【補正対象書類名】明細書
【補正対象項目名】００６１
【補正方法】変更
【補正の内容】
【００６１】
MACプロトコルを使用する場合には、カウンタパラメータ402は、拡張TDMAフレーム番号、時間スロット番号、及び暗号化すべきデータが第2レイヤシグナリングプレーンのデータであるか又はその他のデータであるかを規定するシンボルによって形成される。従って、TDMAフレーム番号の長さは28ビットに拡張される。暗号化すべきデータが第2レイヤシグナリングプレーンのデータであるか又はその他のデータであるかを規定する1ビットのシンボルは、暗号化すべきデータが第2レイヤシグナリングプレーンのデータ以外のその他のデータである場合に値1を取得する。時間スロット番号は、1つの時間スロットのみを使用する場合には一定である。実際には、MACプロトコルを使用する場合には、1ビットのシンボルと時間スロット番号は一定であるが、カウンタパラメータの有効な長さは28ビットになる。これは現在のGSMカウンタパラメータサイクルの64倍以上であり、従って実際上、十分なものになっている。
【手続補正８】
【補正対象書類名】明細書
【補正対象項目名】００６７
【補正方法】変更
【補正の内容】
【００６７】
MACプロトコルを使用する場合には、カウンタパラメータ402は、その他のデータ用と同様に第2レイヤシグナリングプレーンデータ用として形成される、即ち、カウンタパラメータ402は、拡張TDMAフレーム番号、時間スロット番号、及び暗号化すべきデータが第2レイヤシグナリングプレーンのデータであるか又はその他のデータであるかを規定するシンボルによって形成される。暗号化すべきデータが第2レイヤシグナリングプレーンのデータであるか又はその他のデータであるかを規定する1ビットのシンボルは、暗号化すべきデータが第2レイヤシグナリングプレーンデータである場合に値0を取得する。そして、MACブロック全体が暗号化される。
【手続補正９】
【補正対象書類名】明細書
【補正対象項目名】００７２
【補正方法】変更
【補正の内容】
【００７２】
好適な実施例においては、ユーザー機器UEの接続がGPRS/EDGE無線アクセスネットワークGERANと広帯域符号分割多元接続法を使用する無線アクセスネットワークUTRANの間で変化した場合に、最後に使用された拡張TDMAフレーム番号又はハイパーフレーム番号に関する情報を新しい無線アクセスネットワークに提供し、もとの無線アクセスネットワークと同一の暗号化キー入力パラメータ408を新しい無線アクセスネットワークの暗号化アルゴリズム400の暗号化キー入力パラメータ408として使用する。このようにして、異なる内容を有する暗号化されていないデータ414に対する同一マスク412の使用を回避することができる。この手順がない場合には、例えば、ハンドオーバーなどによって接続が変化した際に、ユーザー機器UEとGPRS/EDGE無線アクセスネットワークGERAN間での新しい暗号化キーの開始に必要なシグナリングを常に実行しなければならなくなる。基本的に、この手順は、ユーザー機器UEの接続がGPRS/EDGE無線アクセスネットワークGERANと広帯域符号分割多元接続法を使用する無線アクセスネットワークUTRAN間で変化した際に、ユーザー機器が、最後に使用された拡張TDMAフレーム番号又はハイパーフレーム番号に関する情報を新しい無線アクセスネットワークに提供する手段190、192、194を有するようにするか、或いは、ユーザー機器UEの接続がGPRS/EDGE無線アクセスネットワークGERANと広帯域符号分割多元接続法を使用する無線アクセスネットワークUTRAN間で変化した際に、GPRS/EDGE無線アクセスネットワークGERANが、最後に使用された拡張TDMAフレーム番号又はハイパーフレーム番号に関する情報をユーザー機器UEから受信する手段180を有するようにするという2つの方法で実装可能である。